(57)【要約】【課題】高速かつ安定した書込み動作を行い、擬似輪郭が発生することなくかつ滑らかな階調を表示する、画像表示品質の優れたプラズマディスプレイ装置を提供する。【解決手段】プラズマディスプレイパネルの保護層２６は、酸化マグネシウム、酸化ストロンチウム、酸化カルシウム、酸化バリウムの少なくとも１つを含む金属酸化物の薄膜で形成された下地保護層２６ａと、カソードルミネッセンス発光の発光スペクトルの２００ｎｍ〜３００ｎｍのピークと３００ｎｍ〜５５０ｎｍのピークとの比が２以上の酸化マグネシウムの単結晶粒子２７を下地保護層２６ａに付着させて形成した粒子層２６ｂとから構成され、パネル駆動回路は、複数のサブフィールドのうち最初のサブフィールドで壁電荷を形成する初期化放電を発生させ、複数のサブフィールドの書込み期間において壁電荷を消去する書込み放電を発生させてパネルを駆動するように構成したことを特徴とする。【選択図】図２
2009259670.tif 000002
【特許請求の範囲】
【請求項１】
第１のガラス基板上に表示電極対を形成し前記表示電極対を覆うように誘電体層を形成し前記誘電体層の上に保護層を形成した前面板と、第２のガラス基板上にデータ電極を形成した背面板とを対向配置して、前記表示電極対と前記データ電極とが対向する位置に放電セルを形成したプラズマディスプレイパネルと、
前記放電セルで書込み放電を発生させる書込み期間と維持放電を発生させる維持期間とを有する複数のサブフィールドを時間的に配置して１フィールド期間を構成して前記プラズマディスプレイパネルを駆動するパネル駆動回路とを備えたプラズマディスプレイ装置であって、
前記保護層は、酸化マグネシウム、酸化ストロンチウム、酸化カルシウム、酸化バリウムの少なくとも１つを含む金属酸化物の薄膜で形成された下地保護層と、カソードルミネッセンス発光の発光スペクトルの２００ｎｍ〜３００ｎｍのピークの発光強度が３００ｎｍ〜５５０ｎｍのピークの発光強度の２倍以上の酸化マグネシウムの単結晶粒子を前記下地保護層に付着させて形成した粒子層とから構成され、
前記パネル駆動回路は、前記複数のサブフィールドのうち最初のサブフィールドで壁電荷を形成する初期化放電を発生させ、前記複数のサブフィールドの書込み期間において壁電荷を消去する書込み放電を発生させて前記プラズマディスプレイパネルを駆動するように構成したことを特徴とするプラズマディスプレイ装置。
【請求項２】
前記パネル駆動回路は、前記表示電極対を複数の表示電極対グループに分け、前記複数の表示電極対グループに対応して前記書込み期間を複数の部分書込み期間に分け、１つの部分書込み期間と次の部分書込み期間との間に壁電荷を補充するための補充期間を設けて、前記プラズマディスプレイパネルを駆動するように構成したことを特徴とする請求項１に記載のプラズマディスプレイ装置。
【発明の詳細な説明】
【技術分野】
【０００１】
本発明は、プラズマディスプレイパネルを用いた画像表示装置であるプラズマディスプレイ装置に関する。
【背景技術】
【０００２】
プラズマディスプレイパネル（以下、「パネル」と略記する）は薄型の画像表示素子の中でも高速表示が可能であり、かつ大型化が容易であることから、大画面表示装置として実用化されている。
【０００３】
パネルは前面板と背面板とを貼り合わせて構成されている。前面板は、ガラス基板と、ガラス基板上に形成された走査電極および維持電極からなる表示電極対と、表示電極対を覆うように形成された誘電体層と、誘電体層上に形成された保護層とを有する。保護層は誘電体層をイオン衝突から保護するとともに放電を発生しやすくする目的で設けられている。
【０００４】
背面板は、ガラス基板と、ガラス基板上に形成されたデータ電極と、データ電極を覆う誘電体層と、誘電体層上に形成された隔壁と、隔壁間に形成された赤色、緑色および青色のそれぞれに発光する蛍光体層とを有する。前面板と背面板とは、表示電極対とデータ電極とが放電空間をはさんで交差するように対向され、周囲を低融点ガラスで封着されている。放電空間にはキセノンを含む放電ガスが封入されている。ここで表示電極対とデータ電極との対向する部分に放電セルが形成される。
【０００５】
このような構成のパネルを用いたプラズマディスプレイ装置は、パネルの各放電セルで選択的にガス放電を発生させ、このとき生じた紫外線で赤色、緑色および青色の各色の蛍光体を励起発光させてカラー表示を行っている。
【０００６】
このようなパネルを用いたプラズマディスプレイ装置で画像を表示する方法として主にサブフィールド法が用いられている。これは、あらかじめ輝度重みの定められた複数のサブフィールドで１フィールド期間を構成し、各サブフィールドで放電セルそれぞれの発光・非発光を制御して画像を表示する方法である。
【０００７】
しかし、各放電セルの点灯・非点灯を各サブフィールドで任意に行うと、動画像を表示した際に輪郭状の著しい階調乱れ、いわゆる擬似輪郭が発生することが知られている。そこで、この擬似輪郭を抑制する方法として、放電セルの発光するサブフィールドが連続するように、また放電セルの発光しないサブフィールドも連続するように制御して階調表示を行うことにより擬似輪郭を抑制する方法が提案されている（例えば、特許文献１参照）。このような表示方法により、擬似輪郭の発生を抑えることができるが、表示できる階調が制限され滑らかな階調を表示することが難しいという問題を抱えていた。
【０００８】
滑らかな階調を表示するためには、１フィールド期間を構成するサブフィールドの数を増加すればよい。上述したサブフィールド法は、初期化期間、書込み期間および維持期間を有する複数のサブフィールドで１フィールド期間を構成し、発光させるサブフィールドの組み合わせによって階調表示を行う方法である。ここで、１フィールド期間を構成するサブフィールドの数を増加するためには、短い時間内に確実な書込み動作を行う必要がある。そのために高速駆動の可能なパネルの開発が進められるとともに、そのパネルの特長を生かして品質の高い画像を表示するための駆動方法および駆動回路についての検討が進められている。
【０００９】
パネルの放電特性は保護層の特性に大きく依存しており、特に高速駆動の可否を左右する電子放出性能と電荷保持性能を改善するために、保護層の材料、構成、製造方法等について多くの検討がなされている。例えば特許文献２には、マグネシウム蒸気を気相酸化して生成することにより２００ｎｍ〜３００ｎｍにカソードルミネッセンス発光ピークを有する酸化マグネシウム層が設けられたパネルと、書込み期間において全表示ラインを構成する表示電極対各々の一方に走査パルスを順に印加するとともに走査パルスが印加される表示ラインに対応した書込みパルスをデータ電極に供給する電極駆動回路とを備えたプラズマディスプレイ装置が開示されている。
【特許文献１】特開平１１−３０５７２６号公報
【特許文献２】特開２００６−５４１５８号公報
【発明の開示】
【発明が解決しようとする課題】
【００１０】
近年は、大画面に加えて高精細度プラズマディスプレイ装置が要望されており、あわせて高い画像表示品質も求められている。このようにライン数が増加する一方で、滑らかな階調を表示するためのサブフィールド数も確保しなければならない。そのため、１ラインあたりの書込み動作に割り当てられる時間はますます短くなる傾向にある。そこで、割り当てられた時間内に確実な書込み動作を行うために、従来以上に高速かつ安定した書込み動作が可能なパネル、その駆動方法、それを実現する駆動回路を備えたプラズマディスプレイ装置が望まれている。
【００１１】
本発明はこのような課題に鑑みなされたもので、高速かつ安定した書込み動作を行い、擬似輪郭が発生することなくかつ滑らかな階調を表示することができる画像表示品質の優れたプラズマディスプレイ装置を提供することを目的とする。
【課題を解決するための手段】
【００１２】
上記目的を達成するために本発明は、第１のガラス基板上に表示電極対を形成し表示電極対を覆うように誘電体層を形成し誘電体層の上に保護層を形成した前面板と、第２のガラス基板上にデータ電極を形成した背面板とを対向配置して、表示電極対とデータ電極とが対向する位置に放電セルを形成したパネルと、放電セルで書込み放電を発生させる書込み期間と維持放電を発生させる維持期間とを有する複数のサブフィールドを時間的に配置して１フィールド期間を構成してパネルを駆動するパネル駆動回路とを備えたプラズマディスプレイ装置であって、保護層は、酸化マグネシウム、酸化ストロンチウム、酸化カルシウム、酸化バリウムの少なくとも１つを含む金属酸化物の薄膜で形成された下地保護層と、カソードルミネッセンス発光の発光スペクトルの２００ｎｍ〜３００ｎｍのピークの発光強度が３００ｎｍ〜５５０ｎｍのピークの発光強度の２倍以上の酸化マグネシウムの単結晶粒子を下地保護層に付着させて形成した粒子層とから構成され、パネル駆動回路は、複数のサブフィールドのうち最初のサブフィールドで壁電荷を形成する初期化放電を発生させ、複数のサブフィールドの書込み期間において壁電荷を消去する書込み放電を発生させてパネルを駆動するように構成したことを特徴とする。この構成により、各サブフィールドの書込み期間において高速かつ安定した書込み動作を行い、擬似輪郭が発生することなくかつ滑らかな階調を表示することができる画像表示品質の優れたプラズマディスプレイ装置を提供することができる。
【００１３】
また本発明のプラズマディスプレイ装置のパネル駆動回路は、表示電極対を複数の表示電極対グループに分け、複数の表示電極対グループに対応して書込み期間を複数の部分書込み期間に分け、１つの部分書込み期間と次の部分書込み期間との間に壁電荷を補充するための補充期間を設けて、パネルを駆動するように構成してもよい。この構成により、走査パルス電圧および書込みパルス電圧の上昇を抑えることができる。
【発明の効果】
【００１４】
本発明によれば、高速かつ安定した書込み動作を行い、擬似輪郭が発生することなくかつ滑らかな階調を表示することができる画像表示品質の優れたプラズマディスプレイ装置を提供することが可能となる。
【発明を実施するための最良の形態】
【００１５】
以下、本発明の一実施の形態におけるプラズマディスプレイ装置について図面を用いて説明する。
【００１６】
（実施の形態１）
図１は、本発明の実施の形態１におけるパネル１０の構造を示す分解斜視図である。パネル１０は前面板２０と背面板３０とが対向して配置され、その外周部を低融点ガラスの封着材によって封着されている。パネル１０内部の放電空間１５には、キセノン等の放電ガスが４００Ｔｏｒｒ〜６００Ｔｏｒｒの圧力で封入されている。
【００１７】
前面板２０のガラス基板（第１のガラス基板）２１上には、走査電極２２および維持電極２３よりなる表示電極対２４が平行に複数形成されている。ガラス基板２１上には表示電極対２４を覆うように誘電体層２５が形成され、さらにその誘電体層２５の上に酸化マグネシウムを主成分とする保護層２６が形成されている。
【００１８】
また、背面板３０のガラス基板（第２のガラス基板）３１上には、表示電極対２４と直交する方向に複数のデータ電極３２が互いに平行に形成され、これを誘電体層３３が被覆している。さらに誘電体層３３上には隔壁３４が形成されている。誘電体層３３上および隔壁３４の側面には紫外線によって赤色、緑色および青色にそれぞれ発光する蛍光体層３５が形成されている。ここで、表示電極対２４とデータ電極３２とが交差する位置に放電セルが形成され、赤色、緑色、青色の蛍光体層３５を有する放電セルの一組がカラー表示のための画素になる。なお誘電体層３３は必須ではなく、誘電体層３３を省略した構成であってもよい。
【００１９】
図２は、本発明の実施の形態１におけるパネル１０の前面板２０の構成を示す断面図であり、図１に示した前面板２０と上下を逆にして示している。ガラス基板２１上に、走査電極２２と維持電極２３よりなる表示電極対２４が形成されている。走査電極２２は、インジウムスズ酸化物や酸化スズ等から形成された透明電極２２ａと、透明電極２２ａ上に形成されたバス電極２２ｂとにより構成されている。同様に維持電極２３は、透明電極２３ａとその上に形成されたバス電極２３ｂとにより構成されている。バス電極２２ｂ、バス電極２３ｂは透明電極２２ａ、透明電極２３ａの長手方向に導電性を付与するために設けられ、銀を主成分とする導電性材料によって形成されている。
【００２０】
誘電体層２５は、酸化鉛または酸化ビスマスまたは酸化リンを主成分とする低融点ガラス等を、スクリーン印刷、ダイコート等により塗布し、焼成して形成されている。そして誘電体層２５上には保護層２６が形成されている。
【００２１】
そして誘電体層２５上には保護層２６が形成されている。以下に、保護層２６の詳細について説明する。誘電体層２５をイオン衝突から保護するとともに駆動の速度を大きく左右する電子放出性能と電荷保持性能を改善するために、保護層２６は、誘電体層２５の上に形成された下地保護層２６ａと、下地保護層２６ａ上に形成された粒子層２６ｂとから構成されている。
【００２２】
下地保護層２６ａは、スパッタリング法、イオンプレーティング法、電子線蒸着法等で形成された厚み０．３μｍ〜１μｍの酸化マグネシウムの薄膜層である。
【００２３】
粒子層２６ｂは酸化マグネシウム前駆体を焼成して形成され、平均粒径が０．３μｍ〜４μｍの比較的均一な粒径分布をもつ酸化マグネシウムの単結晶粒子２７を下地保護層２６ａ上に付着させた層である。単結晶粒子２７は下地保護層２６ａの全面を覆うように形成されている必要はなく、下地保護層２６ａの上に被覆率１％〜３０％で島状に形成されていればよい。単結晶粒子２７の形状は基本的には正６面体形状または正８面体形状であるが、製造上のばらつき等により多少の変形が生じてもよく、また正６面体形状または正８面体形状の頂点および稜線が切除されて切頂面および斜方面をもつ形状であってもよい。
【００２４】
このように保護層２６を、下地保護層２６ａと、下地保護層２６ａ上に形成された粒子層２６ｂとから構成することにより電子放出性能と電荷保持性能の優れた保護層２６を有するパネル１０を実現することができる。
【００２５】
発明者らは単結晶粒子のカソードルミネッセンス発光を調べ、発光スペクトルにより単結晶粒子の特性、特に電子放出性能を評価することができることを見出した。図３は、本発明の実施の形態１におけるパネルに用いる単結晶粒子２７の発光スペクトルを示す図である。図３には比較のために気相酸化法で下地保護層上に作成した酸化マグネシウムの単結晶粒子の発光スペクトルも示している。本実施の形態における単結晶粒子２７の発光スペクトルは、２００ｎｍ〜３００ｎｍに発光強度の大きなピークをもち、３００ｎｍ〜５５０ｎｍに小さなピークをもっている。一方、気相酸化法で作成した単結晶粒子の発光スペクトルは、２００ｎｍ〜３００ｎｍの発光強度のピーク、３００ｎｍ〜５５０ｎｍの発光強度のピークともに小さなピークである。
【００２６】
発明者らは、これら２つのピークの発光強度に注目し、３００ｎｍ〜５５０ｎｍのピークの発光強度に対する２００ｎｍ〜３００ｎｍのピークの発光強度の比率（以下、単に「ピークの比ＰＫ」と略記する）と電子放出性能との関係を調べるために、ピークの比ＰＫの値の異なるパネルを試作して放電遅れ時間の測定を行った。図４は、本発明の実施の形態１におけるパネルに用いる単結晶粒子２７の発光スペクトルのピークの比ＰＫと放電遅れ時間Ｔｄとの関係を示す図である。横軸はピークの比ＰＫであり、２００ｎｍ以上３００ｎｍ未満の発光スペクトルの積分値と３００ｎｍ以上５５０ｎｍ未満の発光スペクトルの積分値との比の値を計算してピークの比ＰＫとした。縦軸は放電遅れ時間をピークの比ＰＫがほぼ「０」のときの放電遅れ時間で正規化した値ＴＳである。従ってこの値ＴＳが小さいパネルほど電子放出性能が優れていることを示している。このように発光スペクトルのピークの比ＰＫが「２」以上、すなわちカソードルミネッセンス発光の発光スペクトルの２００ｎｍ〜３００ｎｍのピークの発光強度が３００ｎｍ〜５５０ｎｍのピークの発光強度の２倍以上であれば正規化した放電遅れ時間ＴＳは「０．２」以下でほぼ一定となり、優れた電子放出性能を示すことがわかる。
【００２７】
これらの発光スペクトルのピークの比ＰＫと電子放出性能との関係は完全に明らかになったわけではないが、次のように考えることができる。２００ｎｍ〜３００ｎｍの発光スペクトルのピークは５ｅＶ程度のエネルギーの緩和過程が存在することを示しており、この大きなエネルギーの緩和にともなうオージェ電子放出の発生確率も大きいことを示唆している。一方、３００ｎｍ〜５５０ｎｍの発光スペクトルのピークは酸素欠陥等に起因するトラップ準位がバンドギャップ間に多数存在することを示しており、大きなエネルギーの緩和過程が発生しにくくオージェ電子放出の発生確率も小さいことを示唆していると考えられる。従って２００ｎｍ〜３００ｎｍのピークが大きく、３００ｎｍ〜５５０ｎｍのピークが小さいほど電子を放出しやすい。そのためこのような特性をもつ単結晶粒子２７を用いて粒子層２６ｂを形成することにより、電子放出性能の高いパネルを得ることができる。
【００２８】
上述した、発光スペクトルの２００ｎｍ〜３００ｎｍのピークが大きく、３００ｎｍ〜５５０ｎｍのピークが小さい単結晶粒子２７は、液相法により生成することができる。
【００２９】
具体的には、例えば以下のように酸化マグネシウムの前駆体である水酸化マグネシウムを高温の酸素含有雰囲気中で均一に焼成して生成することができる。
【００３０】
（液相法１）
純度９９．９５％以上のマグネシウムアルコキシドまたはマグネシウムアセチルアセトンの水溶液に少量の酸を加えて加水分解して、水酸化マグネシウムのゲルを作製する。そして、そのゲルを空気中で焼成して脱水することにより、単結晶粒子２７の粉体を生成する。
【００３１】
（液相法２）
純度９９．９５％以上の硝酸マグネシウムを溶かした水溶液にアルカリ溶液を添加して水酸化マグネシウムを沈殿させる。次に、水酸化マグネシウムの沈殿物を水溶液から分離し、それを空気中で焼成して脱水することにより、単結晶粒子２７の粉体を生成する。
【００３２】
（液相法３）
純度９９．９５％以上の塩化マグネシウムを溶かした水溶液に水酸化カルシウムを添加して水酸化マグネシウムを沈殿させる。次に、水酸化マグネシウムの沈殿物を水溶液から分離し、それを空気中で焼成して脱水することにより、単結晶粒子２７の粉体を生成する。
【００３３】
焼成温度としては、７００℃以上が望ましく１０００℃以上がさらに望ましい。これは、７００℃未満では、結晶面が十分発達せず欠陥が多くなるためである。
【００３４】
また本発明者らの実験によれば、７００℃以上２０００℃未満の温度で焼成を行うと、ピークの比ＰＫが「１」以上である単結晶粒子と、ピークの比ＰＫが「１」未満であって６８０ｎｍ〜９００ｎｍのスペクトル領域に相当程度のピークをもつ単結晶粒子との２種類の単結晶粒子が生成されることが確認された。また１４００℃以上の温度で焼成を行うと、ピークの比ＰＫが「１」未満であって６８０ｎｍ〜９００ｎｍの発光スペクトルの領域にピークをもつ単結晶粒子の生成される割合が大きくなることが確認された。従って、ピークの比ＰＫが「１」以上である酸化マグネシウム単結晶の比率を上げるために、焼成温度を７００℃以上１４００℃未満に設定することが望ましい。
【００３５】
酸化マグネシウム前駆体としては、上述した水酸化マグネシウム以外にも、マグネシウムアルコキシド、マグネシウムアセチルアセトン、硝酸マグネシウム、塩化マグネシウム、炭酸マグネシウム、硫酸マグネシウム、シュウ酸マグネシウム、酢酸マグネシウム等のうちの１種以上を用いることができる。ここで酸化マグネシウム前駆体としてのマグネシウム化合物の純度は９９．９５％以上が望ましく、９９．９８％以上がさらに望ましい。これは、アルカリ金属、ホウ素、珪素、鉄、アルミニウム等の不純物元素が多く含まれると、焼成時に粒子間の融着や焼結が起こり、結晶性の高い粒子が成長しにくいからである。
【００３６】
なお、ピークの比ＰＫが１未満であって６８０ｎｍ〜９００ｎｍのスペクトル領域にピークをもつ酸化マグネシウム単結晶は、ピークの比ＰＫが１以上である酸化マグネシウム単結晶よりも粒径が小さい傾向がある。従って、分級することによりこれら２種類の酸化マグネシウム単結晶を分離することができ、ピークの比ＰＫの大きい単結晶粒子を選別することができる。
【００３７】
このように、本実施の形態における粒子層２６ｂは、発光スペクトルの２００ｎｍ〜３００ｎｍのピークと３００ｎｍ〜５５０ｎｍのピークとの比が「２」以上の単結晶粒子２７を下地保護層２６ａに付着させることにより構成している。そして、安定して良好な電子放出性能と電荷保持性能とをあわせもち、高速駆動の可能なパネルを実現している。
【００３８】
次に、本実施の形態におけるパネル１０の駆動方法について説明する。
【００３９】
図５は、本発明の実施の形態１におけるパネル１０の電極配列を示す図である。パネル１０には、行方向（ライン方向）に長いｎ本の走査電極ＳＣ１〜ＳＣｎ（図１の走査電極２２）およびｎ本の維持電極ＳＵ１〜ＳＵｎ（図１の維持電極２３）が配列され、列方向に長いｍ本のデータ電極Ｄ１〜Ｄｍ（図１のデータ電極３２）が配列されている。そして、１対の走査電極ＳＣｉ（ｉ＝１〜ｎ）および維持電極ＳＵｉと１つのデータ電極Ｄｊ（ｊ＝１〜ｍ）とが交差した部分に放電セルが形成され、放電セルは放電空間内にｍ×ｎ個形成されている。放電セルの数は、高精細度プラズマディスプレイ装置に用いるパネルであれば、例えば、ｍ＝１９２０×３＝５７６０、ｎ＝１０８０である。
【００４０】
次に、パネル１０を駆動するために各電極に印加する駆動電圧波形について説明する。パネル１０は、サブフィールド法、すなわち１フィールド期間を複数のサブフィールドに分割し、サブフィールド毎に各放電セルの発光・非発光を制御することによって階調表示を行う。それぞれのサブフィールドは書込み期間および維持期間を有する。また最初のサブフィールドには初期化期間を有する。
【００４１】
初期化期間では初期化放電を発生し、放電セルを発光させるための維持放電に必要な壁電荷を各電極上に形成する。あわせて書込み放電に必要な壁電荷も形成する。書込み期間では、発光させない放電セルで書込み放電を発生し維持放電のための壁電荷を消去する。そして維持期間では、輝度重みに応じた数の維持パルスを表示電極対に交互に印加して、書込み放電を発生させなかった放電セルで維持放電を発生させて発光させる。
【００４２】
このように、本実施の形態における駆動方法の特徴は、最初のサブフィールドに初期化期間を設けそれ以降のサブフィールドには初期化期間を設けない点、発光させない放電セルで書込み動作を行う点である。そして最初のサブフィールドの初期化期間において初期化動作を行い、その後書込み動作を行わない放電セルでは継続して維持放電を発生し発光する。また一旦書込み動作を行った放電セルでは、次に初期化動作を行うまで維持放電を発生することはない。このように、サブフィールド法の中でも、放電セルの発光するサブフィールドが連続するように、また放電セルの発光しないサブフィールドも連続するように制御して階調表示を行う駆動方法を、以下「連続駆動法」と略記する。
【００４３】
本実施の形態においては、１フィールドを１４のサブフィールド（第１ＳＦ、第２ＳＦ、・・・、第１４ＳＦ）に分割し、各サブフィールドのそれぞれは、例えば（１、１、１、１、３、５、５、８、１６、１６、２０、２２、２８、６４）の輝度重みをもつ。また第１ＳＦは初期化期間を有するサブフィールドであり、第２ＳＦ〜第１４ＳＦは初期化期間を有しないサブフィールドである。以下、本実施の形態における連続駆動法の詳細について説明する。
【００４４】
図６は、本発明の実施の形態１におけるパネル１０の各電極に印加する駆動電圧波形図である。まず、初期化期間を有する第１ＳＦについて説明する。
【００４５】
第１ＳＦの初期化期間では、まずその前半部において、データ電極Ｄ１〜Ｄｍに０（Ｖ）を、維持電極ＳＵ１〜ＳＵｎに電圧Ｖｎｇをそれぞれ印加し、走査電極ＳＣ１〜ＳＣｎには、維持電極ＳＵ１〜ＳＵｎに対して放電開始電圧以下の電圧Ｖｉ１から、放電開始電圧を超える電圧Ｖｉ２に向かって緩やかに上昇する傾斜波形電圧を印加する。
【００４６】
この傾斜波形電圧が上昇する間に、走査電極ＳＣ１〜ＳＣｎと維持電極ＳＵ１〜ＳＵｎ、データ電極Ｄ１〜Ｄｍとの間でそれぞれ微弱な初期化放電が起こる。そして、走査電極ＳＣ１〜ＳＣｎ上に負の壁電圧が蓄積されるとともに、データ電極Ｄ１〜Ｄｍ上および維持電極ＳＵ１〜ＳＵｎ上には正の壁電圧が蓄積される。ここで、電極上の壁電圧とは電極を覆う誘電体層上、保護層上、蛍光体層上等に蓄積された壁電荷により生じる電圧を表す。このときの初期化放電では、続く初期化期間の後半部において壁電圧の最適化を図ることを見越して、過剰に壁電圧を蓄えておく。
【００４７】
次に初期化期間の後半部では、維持電極ＳＵ１〜ＳＵｎに電圧Ｖｅを印加し、走査電極ＳＣ１〜ＳＣｎには、維持電極ＳＵ１〜ＳＵｎに対して放電開始電圧以下となる電圧Ｖｉ３から放電開始電圧を超える電圧Ｖｉ４に向かって緩やかに下降する傾斜波形電圧を印加する。この間に、走査電極ＳＣ１〜ＳＣｎと維持電極ＳＵ１〜ＳＵｎ、データ電極Ｄ１〜Ｄｍとの間でそれぞれ微弱な初期化放電が起こる。そして、走査電極ＳＣ１〜ＳＣｎ上の過剰な負の壁電圧および維持電極ＳＵ１〜ＳＵｎ上の過剰な正の壁電圧が適正化され維持放電に必要な壁電荷が形成される。またデータ電極Ｄ１〜Ｄｍ上の過剰な正の壁電圧も適正化され、書込み放電に必要な壁電荷も形成される。以上により初期化動作が終了する。
【００４８】
続く書込み期間では、維持電極ＳＵ１〜ＳＵｎに電圧Ｖｅを、走査電極ＳＣ１〜ＳＣｎに電圧Ｖｃを印加する。
【００４９】
次に、１ライン目の走査電極ＳＣ１に負の走査パルス電圧Ｖａを印加するとともに、データ電極Ｄ１〜Ｄｍのうち１ライン目に発光させない放電セルのデータ電極Ｄｋ（ｋ＝１〜ｍ）に正の書込みパルス電圧Ｖｄを印加する。このときデータ電極Ｄｋ上と走査電極ＳＣ１上との交差部の電圧差は、外部印加電圧の差（Ｖｄ−Ｖａ）にデータ電極Ｄｋ上の壁電圧と走査電極ＳＣ１上の壁電圧の差とが加算されたものとなり放電開始電圧を超える。そして、データ電極Ｄｋと走査電極ＳＣ１との間および維持電極ＳＵ１と走査電極ＳＣ１との間に書込み放電が起こり、走査電極ＳＣ１上の壁電圧および維持電極ＳＵ１上の壁電圧が消去される。このときの壁電圧の消去とは、後述する維持期間において維持放電が発生しない程度に壁電圧が弱められることを意味している。またデータ電極Ｄｋ上には負の壁電圧が蓄積される。
【００５０】
ここで、走査パルス電圧Ｖａと書込みパルス電圧Ｖｄを印加した後、書込み放電が発生するまでの時間を「放電遅れ時間」と称する。仮にパネルの電子放出性能が低く放電遅れ期間が長くなると、確実に書込み動作を行うために走査パルス電圧Ｖａと書込みパルス電圧Ｖｄとを印加する時間、すなわち走査パルス幅と書込みパルス幅とを長く設定する必要があり、高速に書込み動作を行うことができなくなる。また仮にパネルの電荷保持性能が低いと、壁電圧の減少を補うために走査パルス電圧Ｖａと書込みパルス電圧Ｖｄとの電圧値を高く設定する必要がある。しかしながら本実施の形態におけるパネル１０は電子放出性能が高いので、走査パルス幅および書込みパルス幅を従来のパネルより短く設定することができ、安定して高速に書込み動作を行うことができる。また本実施の形態におけるパネル１０は電荷保持性能が高いので、走査パルス電圧Ｖａと書込みパルス電圧Ｖｄとの電圧値を従来のパネルより低く設定することができる。
【００５１】
このようにして、１ライン目に発光させない放電セルで書込み放電を起こして各電極上の壁電圧を消去する書込み動作が行われる。一方、書込みパルス電圧Ｖｄを印加しなかったデータ電極Ｄ１〜Ｄｍと走査電極ＳＣ１との交差部の電圧は放電開始電圧を超えないので、書込み放電は発生せず初期化期間の終了時における壁電圧が保たれる。以上の書込み動作をｎライン目の放電セルに至るまで行い、書込み期間が終了する。
【００５２】
続く維持期間では、まず走査電極ＳＣ１〜ＳＣｎに０（Ｖ）を印加するとともに維持電極ＳＵ１〜ＳＵｎに正の維持パルス電圧Ｖｓを印加する。すると書込み放電を起こさなかった放電セルでは、維持電極ＳＵｉ上と走査電極ＳＣｉ上との電圧差が維持パルス電圧Ｖｓに維持電極ＳＵｉ上の壁電圧と走査電極ＳＣｉ上の壁電圧との差が加算されたものとなり放電開始電圧を超える。
【００５３】
そして、走査電極ＳＣｉと維持電極ＳＵｉとの間に維持放電が起こり、このとき発生した紫外線により蛍光体層３５が発光する。そして走査電極ＳＣｉ上に正の壁電圧が蓄積され、維持電極ＳＵｉ上に負の壁電圧が蓄積される。なお、書込み期間において書込み放電を起こした放電セルでは維持放電は発生しない。
【００５４】
続いて、走査電極ＳＣ１〜ＳＣｎには維持パルス電圧Ｖｓを、維持電極ＳＵ１〜ＳＵｎには０（Ｖ）をそれぞれ印加する。すると、維持放電を起こした放電セルでは、走査電極ＳＣｉ上と維持電極ＳＵｉ上との電圧差が放電開始電圧を超えるので再び走査電極ＳＣｉと維持電極ＳＵｉとの間に維持放電が起こり、走査電極ＳＣｉ上に負の壁電圧が蓄積され維持電極ＳＵｉ上に正の壁電圧が蓄積される。
【００５５】
以降同様に、維持電極ＳＵ１〜ＳＵｎと走査電極ＳＣ１〜ＳＣｎとに交互に輝度重みに応じた数の維持パルスを印加し、表示電極対の電極間に電位差を与えることにより、書込み期間において書込み放電を起こさなかった放電セルで維持放電が継続して行われる。
【００５６】
続く第２ＳＦは初期化期間を有しないサブフィールドである。第２ＳＦの書込み期間では、維持電極ＳＵ１〜ＳＵｎに電圧Ｖｅを、走査電極ＳＣ１〜ＳＣｎに電圧Ｖｃを印加する。そして１ライン目の走査電極ＳＣ１に負の走査パルス電圧Ｖａを印加するとともに、データ電極Ｄ１〜Ｄｍのうち１ライン目に発光させない放電セルのデータ電極Ｄｋに正の書込みパルス電圧Ｖｄを印加する。
【００５７】
すると直前の第１ＳＦで維持放電を発生した放電セルでは、データ電極Ｄｋと走査電極ＳＣ１との間および維持電極ＳＵ１と走査電極ＳＣ１との間に書込み放電が起こり、走査電極ＳＣ１上の壁電圧および維持電極ＳＵ１上の壁電圧が消去される。このようにして、１ライン目に発光させない放電セルで書込み放電を起こして各電極上の壁電圧を消去する書込み動作が行われる。一方、初期化期間の後の書込み期間ですでに書込み放電を発生して直前の第１ＳＦで維持放電を発生しなかった放電セル、および書込みパルス電圧Ｖｄを印加しなかった放電セルのデータ電極Ｄ１〜Ｄｍと走査電極ＳＣ１との交差部の電圧は放電開始電圧を超えないので、書込み放電は発生しない。以上の書込み動作をｎライン目の放電セルに至るまで行い、書込み期間が終了する。
【００５８】
続く維持期間では、走査電極ＳＣ１〜ＳＣｎに０（Ｖ）を印加するとともに維持電極ＳＵ１〜ＳＵｎに正の維持パルス電圧Ｖｓを印加する。すると直前の第１ＳＦの維持期間に維持放電を発生しかつ書込み放電を起こさなかった放電セルでは、走査電極ＳＣｉと維持電極ＳＵｉとの間に維持放電が起こり、対応する放電セルが発光する。なお、初期化期間の後の書込み期間ですでに書込み放電を発生して直前の第１ＳＦで維持放電を発生しなかった放電セル、または書込み放電を起こした放電セルでは維持放電は発生しない。
【００５９】
続いて、走査電極ＳＣ１〜ＳＣｎには維持パルス電圧Ｖｓを、維持電極ＳＵ１〜ＳＵｎには０（Ｖ）をそれぞれ印加する。すると、維持放電を起こした放電セルでは再び維持放電が起こり、維持電極ＳＵｉ上に正の壁電圧が蓄積され走査電極ＳＣｉ上に負の壁電圧が蓄積される。以降同様に、維持電極ＳＵ１〜ＳＵｎと走査電極ＳＣ１〜ＳＣｎとに交互に輝度重みに応じた数の維持パルスを印加し、表示電極対の電極間に電位差を与えることにより、維持放電が継続して行われる。
【００６０】
第３ＳＦ〜第１４ＳＦの駆動電圧波形およびパネルの動作も維持パルス数を除いて第２ＳＦとほぼ同様である。
【００６１】
すなわち、第３ＳＦ〜第１４ＳＦの書込み期間では、維持電極ＳＵ１〜ＳＵｎに電圧Ｖｅを、走査電極ＳＣ１〜ＳＣｎに電圧Ｖｃを印加する。そして１ライン目の走査電極ＳＣ１に負の走査パルス電圧Ｖａを印加するとともに、データ電極Ｄ１〜Ｄｍのうち１ライン目に発光させない放電セルのデータ電極Ｄｋに正の書込みパルス電圧Ｖｄを印加する。
【００６２】
すると直前のサブフィールドで維持放電を発生した放電セルでは書込み放電が起こり、走査電極ＳＣ１上の壁電圧および維持電極ＳＵ１上の壁電圧が消去される。一方、初期化期間の後の書込み期間ですでに書込み放電を発生して直前のサブフィールドで維持放電を発生しなかった放電セル、および書込みパルス電圧Ｖｄを印加しなかった放電セルでは書込み放電は発生しない。以上の書込み動作をｎライン目の放電セルに至るまで行い、書込み期間が終了する。
【００６３】
続く維持期間では、維持電極ＳＵ１〜ＳＵｎと走査電極ＳＣ１〜ＳＣｎとに交互に輝度重みに応じた数の維持パルスを印加する。すると直前のサブフィールドの維持期間に維持放電を発生しかつ書込み放電を起こさなかった放電セルでは維持放電が起こり対応する放電セルが発光する。一方、初期化期間の後の書込み期間ですでに書込み放電を発生して直前のサブフィールドで維持放電を発生しなかった放電セル、または書込み放電を起こした放電セルでは維持放電は発生しない。
【００６４】
なお、本実施の形態においては、走査電極ＳＣ１〜ＳＣｎに印加する電圧Ｖｉ１は１３０（Ｖ）、電圧Ｖｉ２は３８０（Ｖ）、電圧Ｖｉ３は２００（Ｖ）、電圧Ｖｉ４は−２５（Ｖ）、電圧Ｖｃは８０（Ｖ）、電圧Ｖａは−５０（Ｖ）、電圧Ｖｓは２００（Ｖ）であり、維持電極ＳＵ１〜ＳＵｎに印加する電圧Ｖｎｇは−５０（Ｖ）、電圧Ｖｅは５０（Ｖ）、電圧Ｖｓは２００（Ｖ）であり、データ電極Ｄ１〜Ｄｍに印加する電圧Ｖｄは６７（Ｖ）である。また走査電極ＳＣ１〜ＳＣｎに印加する上り傾斜波形電圧の傾斜は１．０Ｖ／μであり、下り傾斜波形電圧の傾斜は−１．３Ｖ／μである。また走査パルスのパルス幅および書込みパルスのパルス幅はともに１．０μｓである。しかしこれらの電圧値は上述した値に限定されるものではなく、パネルの放電特性やプラズマディスプレイ装置の仕様にもとづき最適に設定することが望ましい。
【００６５】
このように、本実施の形態における駆動方法は連続駆動法である。すなわち、最初のサブフィールドの初期化期間において初期化動作を行い、その後書込み動作を行わない放電セルでは継続して維持放電を発生し発光する。また一旦書込み動作を行った放電セルでは、次に初期化動作を行うまで維持放電を発生することはない。
【００６６】
このように本実施の形態においては、電子放出性能が高く高速駆動可能なパネル１０の性能を生かして書込み期間を短縮し、階調を表示するために必要なサブフィールド数を確保した上で、パネル１０を連続駆動法で駆動している。そのため擬似輪郭の発生しない品質の高い画像を表示することができる。
【００６７】
また本実施の形態におけるパネル１０は電荷保持性能が高いので、走査パルス電圧Ｖａと書込みパルス電圧Ｖｄとの電圧値を従来のパネルより低く設定することができる。しかしながら本実施の形態におけるパネル１０であっても壁電荷の減少が全くないわけではないので、表示電極対の数が増加するにつれ、またサブフィールド数が増加するにつれて走査パルス電圧Ｖａおよび書込みパルス電圧Ｖｄの電圧も上昇する傾向がある。これらの電圧の上昇を抑えた連続駆動法について、次に説明する。
【００６８】
（実施の形態２）
本発明の実施の形態２におけるパネルの構造は、実施の形態１におけるパネル１０の構造と同じであるため説明を省略する。実施の形態２が実施の形態１と大きく異なる点はパネル１０の駆動方法であり、走査パルス電圧Ｖａおよび書込みパルス電圧Ｖｄの電圧の上昇を抑えた連続駆動法にある。
【００６９】
図７は、本発明の実施の形態２におけるパネル１０の電極配列を示す図である。パネル１０の電極配列自体は実施の形態１と同様である。すなわち、行方向（ライン方向）に長いｎ本の走査電極ＳＣ１〜ＳＣｎ（図１の走査電極２２）およびｎ本の維持電極ＳＵ１〜ＳＵｎ（図１の維持電極２３）が配列され、列方向に長いｍ本のデータ電極Ｄ１〜Ｄｍ（図１のデータ電極３２）が配列されている。そして、１対の走査電極ＳＣｉ（ｉ＝１〜ｎ）および維持電極ＳＵｉと１つのデータ電極Ｄｊ（ｊ＝１〜ｍ）とが交差した部分に放電セルが形成され、放電セルは放電空間内にｍ×ｎ個形成されている。放電セルの数は、例えば、ｍ＝１９２０×３＝５７６０、ｎ＝１０８０である。表示電極対の数について特に制限はないが、実施の形態２においては説明のために、ｎ＝１０８０として説明する。
【００７０】
また、ｎ本の走査電極ＳＣ１〜ＳＣ１０８０およびｎ本の維持電極ＳＵ１〜ＳＵ１０８０の１０８０対の表示電極対は、複数の表示電極対グループに分けられている。実施の形態２においては、パネルを上下方向に４分割して４つの表示電極対グループに分けたとして説明する。パネルの上部に位置する表示電極対から順に第１の表示電極対グループ、第２の表示電極対グループ、第３の表示電極対グループ、第４の表示電極対グループとする。すなわち２７０本の走査電極ＳＣ１〜ＳＣ２７０および２７０本の維持電極ＳＵ１〜ＳＵ２７０が第１の表示電極対グループに属し、２７０本の走査電極ＳＣ２７１〜ＳＣ５４０および２７０本の維持電極ＳＵ２７１〜ＳＵ５４０が第２の表示電極対グループに属し、２７０本の走査電極ＳＣ５４１〜ＳＣ８１０および２７０本の維持電極ＳＵ５４１〜ＳＵ８１０が第３の表示電極対グループに属し、２７０本の走査電極ＳＣ８１１〜ＳＣ１０８０および２７０本の維持電極ＳＵ８１１〜ＳＵ１０８０が第４の表示電極対グループに属している。
【００７１】
図８は、本発明の実施の形態２におけるパネル１０の各電極に印加する駆動電圧波形図である。図８には、第１ＳＦと第２ＳＦとを示している。
【００７２】
第１ＳＦの初期化期間については実施の形態１と同様であるため説明を省略する。
【００７３】
続く書込み期間では、４つの表示電極対グループに対応して書込み期間を４つの部分書込み期間（第１期間、第２期間、第３期間、第４期間）に分け、それぞれの部分書込み期間の前に、壁電荷を補充するための補充期間を設けている。
【００７４】
書込み期間の最初の補充期間では、まず走査電極ＳＣ１〜ＳＣｎに０（Ｖ）を、維持電極ＳＵ１〜ＳＵｎに正の維持パルス電圧Ｖｓをそれぞれ印加する。すると走査電極ＳＣｉと維持電極ＳＵｉとの間に放電が発生する。続いて走査電極ＳＣ１〜ＳＣｎに維持パルス電圧Ｖｓを、維持電極ＳＵ１〜ＳＵｎに０（Ｖ）をそれぞれ印加する。すると再び走査電極ＳＣｉと維持電極ＳＵｉとの間に放電が発生する。補充期間におけるこれらの放電（以下、「補充放電」と称する）は維持放電と同様の放電であり、画像表示とは関係なく発生する。そして何らかの理由によりデータ電極Ｄ１〜Ｄｍ上の壁電荷の減少が発生しても、補充放電によりデータ電極Ｄ１〜Ｄｍ上の壁電荷が補充されるために、続く第１期間において走査パルス電圧Ｖａおよび書込みパルス電圧Ｖｄの電圧が上昇することはない。
【００７５】
続く部分書込み期間、すなわち第１期間では、維持電極ＳＵ１〜ＳＵｎに電圧Ｖｅを、走査電極ＳＣ１〜ＳＣｎに電圧Ｖｃを印加する。次に、１ライン目の走査電極ＳＣ１に走査パルス電圧Ｖａを印加するとともに、データ電極Ｄ１〜Ｄｍのうち１ライン目に発光させない放電セルのデータ電極Ｄｋに書込みパルス電圧Ｖｄを印加する。するとデータ電極Ｄｋと走査電極ＳＣ１との間および維持電極ＳＵ１と走査電極ＳＣ１との間に書込み放電が起こり、走査電極ＳＣ１上の壁電圧および維持電極ＳＵ１上の壁電圧が消去される。以上の書込み動作を第１の表示電極対グループに属する２７０ライン目の放電セルに至るまで行い、第１期間を終了する。
【００７６】
続く補充期間では、まず走査電極ＳＣ１〜ＳＣｎに０（Ｖ）を維持電極ＳＵ１〜ＳＵｎに正の維持パルス電圧Ｖｓをそれぞれ印加して補充放電を発生させ、続いて走査電極ＳＣ１〜ＳＣｎに維持パルス電圧Ｖｓを維持電極ＳＵ１〜ＳＵｎに０（Ｖ）をそれぞれ印加して補充放電を発生させる。第１期間において書込み動作を行う放電セルは全体の１／４であるため、減少する壁電荷の量も、実施の形態１における駆動方法の書込み期間における壁電荷の減少の量の１／４程度である。しかしこれ以上壁電荷が減少する前に、補充放電によりデータ電極Ｄ１〜Ｄｍ上の壁電荷が補充されるので、続く第２期間において走査パルス電圧Ｖａおよび書込みパルス電圧Ｖｄの電圧が上昇することはない。
【００７７】
続く部分書込み期間、すなわち第２期間では、維持電極ＳＵ１〜ＳＵｎに電圧Ｖｅを、走査電極ＳＣ１〜ＳＣｎに電圧Ｖｃを印加する。次に、２７１ライン目の走査電極ＳＣ２７１に走査パルス電圧Ｖａを印加するとともに、データ電極Ｄ１〜Ｄｍのうち２７１ライン目に発光させない放電セルのデータ電極Ｄｋに書込みパルス電圧Ｖｄを印加する。すると書込み放電が発生して走査電極ＳＣ２７１上の壁電圧および維持電極ＳＵ２７１上の壁電圧が消去される。以上の書込み動作を第２の表示電極対グループに属する２７１ライン目〜５４０ライン目の放電セルに至るまで行い、第２期間を終了する。
【００７８】
続く補充期間では、まず走査電極ＳＣ１〜ＳＣｎに０（Ｖ）を維持電極ＳＵ１〜ＳＵｎに正の維持パルス電圧Ｖｓをそれぞれ印加して補充放電を発生させ、続いて走査電極ＳＣ１〜ＳＣｎに維持パルス電圧Ｖｓを維持電極ＳＵ１〜ＳＵｎに０（Ｖ）をそれぞれ印加して補充放電を発生させる。第２期間においても書込み動作を行う放電セルは全体の１／４であるため、減少する壁電荷の量も、実施の形態１における駆動方法の書込み期間における壁電荷の減少の量の１／４程度である。しかしこれ以上壁電荷が減少する前に、補充放電によりデータ電極Ｄ１〜Ｄｍ上の壁電荷が補充されるので、続く第３期間において走査パルス電圧Ｖａおよび書込みパルス電圧Ｖｄの電圧が上昇することはない。
【００７９】
続く第３期間では、維持電極ＳＵ１〜ＳＵｎに電圧Ｖｅを、走査電極ＳＣ１〜ＳＣｎに電圧Ｖｃを印加する。次に、５４１ライン目の走査電極ＳＣ５４１に走査パルス電圧Ｖａを印加するとともに、データ電極Ｄ１〜Ｄｍのうち５４１ライン目に発光させない放電セルのデータ電極Ｄｋに書込みパルス電圧Ｖｄを印加する。すると書込み放電が発生して走査電極ＳＣ５４１上の壁電圧および維持電極ＳＵ５４１上の壁電圧が消去される。以上の書込み動作を第３の表示電極対グループに属する５４１ライン目〜８１０ライン目の放電セルに至るまで行い、第３期間を終了する。
【００８０】
続く補充期間でも他の補充期間と同様に、まず走査電極ＳＣ１〜ＳＣｎに０（Ｖ）を維持電極ＳＵ１〜ＳＵｎに正の維持パルス電圧Ｖｓをそれぞれ印加して補充放電を発生させ、続いて走査電極ＳＣ１〜ＳＣｎに維持パルス電圧Ｖｓを維持電極ＳＵ１〜ＳＵｎに０（Ｖ）をそれぞれ印加して補充放電を発生させる。
【００８１】
第４期間では、維持電極ＳＵ１〜ＳＵｎに電圧Ｖｅを、走査電極ＳＣ１〜ＳＣｎに電圧Ｖｃを印加する。次に、８１１ライン目の走査電極ＳＣ８１１に走査パルス電圧Ｖａを印加するとともに、データ電極Ｄ１〜Ｄｍのうち８１１ライン目に発光させない放電セルのデータ電極Ｄｋに書込みパルス電圧Ｖｄを印加する。すると書込み放電が発生して走査電極ＳＣ８１１上の壁電圧および維持電極ＳＵ８１１上の壁電圧が消去される。以上の書込み動作を第４の表示電極対グループに属する８１１ライン目〜１０８０ライン目の放電セルに至るまで行い、書込み期間を終了する。
【００８２】
第１ＳＦの維持期間については実施の形態１と同様であるため説明を省略する。
【００８３】
第２ＳＦの書込み期間においても、４つの表示電極対グループに対応して書込み期間を４つの部分書込み期間（第１期間、第２期間、第３期間、第４期間）に分け、それぞれの部分書込み期間の前に、壁電荷を補充するための補充期間を設けている。ただし第１期間の前の補充放電は第１ＳＦの維持期間の維持放電で代用することができるので実施の形態２においては省略している。それ以外の期間、すなわち第１期間、補充期間、第２期間、補充期間、第３期間、補充期間、第４期間は、第１ＳＦの第１期間、補充期間、第２期間、補充期間、第３期間、補充期間、第４期間とそれぞれ同様である。
【００８４】
第２ＳＦの維持期間については実施の形態１と同様であるため説明を省略する。また、第３ＳＦ〜第１４ＳＦについても維持パルス数を除いて第２ＳＦと同様である。
【００８５】
このように実施の形態２においては、表示電極対２４を４つの表示電極対グループに分け、４つの表示電極対グループに対応して書込み期間を４つの部分書込み期間に分け、部分書込み期間の前に壁電荷を補充するための補充期間を設けて、パネル１０を駆動している。そのために、各部分書込み期間において書込み動作を行う放電セルは全体の１／４であり、減少する壁電荷の量も、実施の形態１における駆動方法の書込み期間における壁電荷の減少の量の１／４程度である。そしてこれ以上壁電荷が減少する前に、補充放電によりデータ電極Ｄ１〜Ｄｍ上の壁電荷が補充されるので、続く各部分書込み期間において走査パルス電圧Ｖａおよび書込みパルス電圧Ｖｄの電圧が上昇することはなく、これらの電圧の上昇を抑えることができる。
【００８６】
なお実施の形態２においては、表示電極対２４を４つの表示電極対グループに分け、４つの表示電極対グループに対応して書込み期間を４つの部分書込み期間に分け、第１ＳＦでは各部分書込み期間の前に壁電荷を補充するための補充期間を設け、第２ＳＦ〜第１４ＳＦでは第１期間を除く各部分書込み期間の前に壁電荷を補充するための補充期間を設け、パネル１０を駆動した。しかし本発明はこれに限定されるものではなく、パネルの特性等により表示電極対２４を複数の表示電極対グループに分け、複数の表示電極対グループに対応して書込み期間を複数の部分書込み期間に分け、少なくとも１つの部分書込み期間の前に壁電荷を補充するための補充期間を設けてパネルを駆動すればよい。
【００８７】
また、実施の形態２においては、第１の表示電極対グループを第１期間に、第２の表示電極対グループを第２期間に、第３の表示電極対グループを第３期間に、第４の表示電極対グループを第４期間に、それぞれ書込み動作を行うものとして説明したが、本発明はこれに限定されるものではない。それぞれの表示電極対グループの表示輝度を揃えるために、表示電極対グループと部分書込み期間との組み合わせをフィールド毎に入れ替えることが望ましい。例えば、１番目のフィールドでは、第１の表示電極対グループを第１期間に、第２の表示電極対グループを第２期間に、第３の表示電極対グループを第３期間に、第４の表示電極対グループを第４期間にそれぞれ書込み動作を行う。２番目のフィールドでは、第１の表示電極対グループを第２期間に、第２の表示電極対グループを第３期間に、第３の表示電極対グループを第４期間に、第４の表示電極対グループを第１期間にそれぞれ書込み動作を行う。３番目のフィールドでは、第１の表示電極対グループを第３期間に、第２の表示電極対グループを第４期間に、第３の表示電極対グループを第１期間に、第４の表示電極対グループを第２期間にそれぞれ書込み動作を行う。４番目のフィールドでは、第１の表示電極対グループを第４期間に、第２の表示電極対グループを第１期間に、第３の表示電極対グループを第２期間に、第４の表示電極対グループを第３期間に、それぞれ書込み動作を行う。このように、表示電極対グループと部分書込み期間との組み合わせをフィールド毎にサイクリックに入れ替えることにより、それぞれの表示電極対グループの表示輝度を揃えることができる。
【００８８】
次に、実施の形態１および実施の形態２において説明した駆動電圧波形を発生させるための駆動回路の一例について説明する。
【００８９】
図９は、本発明の実施の形態１および２におけるプラズマディスプレイ装置１００の回路ブロック図である。プラズマディスプレイ装置１００は、パネル１０とパネル駆動回路とを備えている。パネル１０の保護層２６は、酸化マグネシウム、酸化ストロンチウム、酸化カルシウム、酸化バリウムの少なくとも１つを含む金属酸化物の薄膜で形成された下地保護層２６ａと、カソードルミネッセンス発光の発光スペクトルの２００ｎｍ〜３００ｎｍのピークと３００ｎｍ〜５５０ｎｍのピークとの比が２以上の酸化マグネシウムの単結晶粒子２７を下地保護層２６ａに付着させて形成した粒子層２６ｂとから構成されている。パネル駆動回路は、複数のサブフィールドのうち最初のサブフィールドで維持放電に必要な壁電荷を形成する初期化放電を発生させ、複数のサブフィールドの書込み期間において維持放電に必要な壁電荷を消去する書込み放電を発生させてパネル１０を駆動する。パネル駆動回路は、パネル１０、画像信号処理回路４１、データ電極駆動回路４２、走査電極駆動回路４３、維持電極駆動回路４４、タイミング発生回路４５および各回路ブロックに必要な電源を供給する電源回路（図示せず）を備えている。
【００９０】
画像信号処理回路４１は、入力された画像信号をサブフィールド毎の発光・非発光を示す画像データに変換する。データ電極駆動回路４２はサブフィールド毎の画像データを各データ電極Ｄ１〜Ｄｍに対応する信号に変換し各データ電極Ｄ１〜Ｄｍを駆動する。タイミング発生回路４５は水平同期信号および垂直同期信号をもとにして各回路ブロックの動作を制御する各種のタイミング信号を発生し、それぞれの回路ブロックへ供給する。走査電極駆動回路４３はタイミング信号にもとづいて各走査電極ＳＣ１〜ＳＣｎをそれぞれ駆動し、維持電極駆動回路４４はタイミング信号にもとづいて維持電極ＳＵ１〜ＳＵｎを駆動する。
【００９１】
図１０は、本発明の実施の形態１および２におけるプラズマディスプレイ装置１００の走査電極駆動回路４３および維持電極駆動回路４４の回路図である。
【００９２】
走査電極駆動回路４３は、維持パルス発生回路５０、初期化波形発生回路６０、走査パルス発生回路７０を備えている。維持パルス発生回路５０は、走査電極ＳＣ１〜ＳＣｎに電圧Ｖｓを印加するためのスイッチング素子Ｑ５５と、走査電極ＳＣ１〜ＳＣｎに０（Ｖ）を印加するためのスイッチング素子Ｑ５６と、走査電極ＳＣ１〜ＳＣｎに維持パルスを印加する際の電力を回収するための電力回収部５９とを有する。初期化波形発生回路６０は、走査電極ＳＣ１〜ＳＣｎに上り傾斜波形電圧を印加するためのミラー積分回路６１と、走査電極ＳＣ１〜ＳＣｎに下り傾斜波形電圧を印加するためのミラー積分回路６２とを有する。なおスイッチング素子Ｑ６３およびスイッチング素子Ｑ６４は、他のスイッチング素子の寄生ダイオード等を介して電流が逆流することを防ぐために設けている。走査パルス発生回路７０は、フローティング電源Ｅ７１と、フローティング電源Ｅ７１の高圧側の電圧または低圧側の電圧を走査電極ＳＣ１〜ＳＣｎのそれぞれに印加するためのスイッチング素子Ｑ７２Ｈ１〜Ｑ７２Ｈｎ、Ｑ７２Ｌ１〜Ｑ７２Ｌｎと、フローティング電源Ｅ７１の低圧側の電圧を電圧Ｖａに固定するスイッチング素子Ｑ７３を有する。
【００９３】
維持電極駆動回路４４は、維持パルス発生回路８０、初期化・書込み電圧発生回路９０を備えている。維持パルス発生回路８０は、維持電極ＳＵ１〜ＳＵｎに電圧Ｖｓを印加するためのスイッチング素子Ｑ８５と、維持電極ＳＵ１〜ＳＵｎに０（Ｖ）を印加するためのスイッチング素子Ｑ８６と、維持電極ＳＵ１〜ＳＵｎに維持パルスを印加する際の電力を回収するための電力回収部８９とを有する。初期化・書込み電圧発生回路９０は、維持電極ＳＵ１〜ＳＵｎに電圧Ｖｅを印加するためのスイッチング素子Ｑ９２およびダイオードＤ９２と、維持電極ＳＵ１〜ＳＵｎに電圧Ｖｎｇを印加するためのスイッチング素子Ｑ９４とを有する。スイッチング素子Ｑ９５は、他のスイッチング素子の寄生ダイオード等を介して電流が逆流することを防ぐために設けている。
【００９４】
なお、これらのスイッチング素子は、ＭＯＳＦＥＴやＩＧＢＴ等の一般に知られた素子を用いて構成することができる。またこれらのスイッチング素子は、タイミング発生回路４５で発生したそれぞれのスイッチング素子に対応するタイミング信号により制御される。
【００９５】
なお、図１０に示した駆動回路は、図６に示した駆動電圧波形を発生させる回路構成の一例であって、本発明のプラズマディスプレイ装置は、この回路構成に限定されるものではない。
【００９６】
また、実施の形態１、２において用いた具体的な各数値は、単に一例を挙げたに過ぎず、パネルの特性やプラズマディスプレイ装置の仕様等にあわせて、適宜最適な値に設定することが望ましい。
【産業上の利用可能性】
【００９７】
本発明のプラズマディスプレイ装置は、高速かつ安定した書込み動作を行い、表示品質の優れた画像を表示することができるのでディスプレイ装置として有用である。
【図面の簡単な説明】
【００９８】
【図１】本発明の実施の形態１におけるパネルの構造を示す分解斜視図
【図２】同パネルの前面板の構成を示す断面図
【図３】同パネルに用いる単結晶粒子の発光スペクトルを示す図
【図４】同パネルに用いる単結晶粒子の発光スペクトルのピークの比と放電遅れ時間との関係を示す図
【図５】同パネルの電極配列を示す図
【図６】同パネルの各電極に印加する駆動電圧波形図
【図７】本発明の実施の形態２におけるパネルの電極配列を示す図
【図８】同パネルの各電極に印加する駆動電圧波形図
【図９】本発明の実施の形態１および２におけるプラズマディスプレイ装置の回路ブロック図
【図１０】同プラズマディスプレイ装置の走査電極駆動回路および維持電極駆動回路の回路図
【符号の説明】
【００９９】
１０    パネル
２０    前面板
２１    （第１の）ガラス基板
２２    走査電極
２２ａ，２３ａ    透明電極
２２ｂ，２３ｂ    バス電極
２３    維持電極
２４    表示電極対
２５    誘電体層
２６    保護層
２６ａ    下地保護層
２６ｂ    粒子層
２７    単結晶粒子
３０    背面板
３１    （第２の）ガラス基板
３２    データ電極
３４    隔壁
３５    蛍光体層
４１    画像信号処理回路
４２    データ電極駆動回路
４３    走査電極駆動回路
４４    維持電極駆動回路
４５    タイミング発生回路
５０，８０    維持パルス発生回路
６０    初期化波形発生回路
７０    走査パルス発生回路
１００    プラズマディスプレイ装置
【図１】
2009259670.tif 000003
【図２】
2009259670.tif 000004
【図３】
2009259670.tif 000005
【図４】
2009259670.tif 000006
【図５】
2009259670.tif 000007
【図６】
2009259670.tif 000008
【図７】
2009259670.tif 000009
【図８】
2009259670.tif 000010
【図９】
2009259670.tif 000011
【図１０】
2009259670.tif 000012